(57)【要約】【課題】比較的厚みを有する被挟持物を挿入した際にクリップが筒体から外れることを防止し、さらには、クリップ取付時に筒体の外面が傷つくことを防止する。【解決手段】クリップ１の一対の取付基部１２の端部に、径方向内方に突出する一対の取付片部１３を連設する。取付片部１３を、筒体２の対向側面に設けた一対の係合溝２３に係合させる。筒体２の頂壁に、芯部２１と、芯部２１の外周を包囲する一対の半筒状の周状片部２２とを軸方向前方に突設させる。周状片部２２の相互間に一対の係合溝２３を設ける。クリップ１の一対の取付片部１３の端部に、一対の半筒状部１４を連設する。取付片部１３を係合溝２３に前方から挿入し、一対の半筒状部１４を芯部２１の外面に係合させる。【選択図】　図３
2004114383.tif 000002
【特許請求の範囲】
【請求項１】
クリップの一対の取付基部の端部に、径方向内方に突出する一対の取付片部を連設し、前記取付片部を、筒体の対向側面に設けた一対の係合溝に係合させたクリップ取付構造であって、前記筒体の頂壁に、芯部と、前記芯部の外周を包囲する一対の半筒状の周状片部とを軸方向前方に突設させ、前記周状片部の相互間に一対の係合溝を設け、前記クリップの一対の取付片部の端部に、一対の半筒状部を連設し、前記取付片部を前記係合溝に前方から挿入させると共に、前記一対の半筒状部を前記芯部の外面に係合させたことを特徴とするクリップ取付構造。
【請求項２】
筒体の頂部に取り付ける頭冠に、後方に突出する一対の脚片を設け、前記一対の脚片を、前記半筒状部の外面と前記周状片部の内面との間に圧入した請求項１記載のクリップ取付構造。
【請求項３】
前記半筒状部の一部を径方向内方へ突出させて係止片を形成し、前記係止片を前記芯部の外面に食いつき係止させてなる請求項１または２記載のクリップ取付構造。
【発明の詳細な説明】
【０００１】
【発明の属する技術分野】
本発明は、クリップ取付構造に関する。詳細には、クリップの一対の取付基部が、筒体の外周面の略半周を包囲するタイプのクリップ取付構造に関する。尚、本発明で、「前」とは、筒体の頂部側（クリップ取付基部側）を指し、「後」とは、その反対側を指す。
【０００２】
【従来の技術】
従来、実開平６−５９９０号公報には、「軸筒後方における１８０°対称の位置に長手方向の透孔を一対穿設し、クリップの後方に軸筒の外側面とほぼ同形状の内側面を有する脚部を一体的に設け、該脚部の両側端に前記透孔より僅かに薄い肉厚で同透孔の長さより僅かに小寸法の舌片をそれぞれ一体的に折曲して設け、前記脚部を軸筒にあてがい押圧することにより、前記舌片を透孔に係合せしめてなるクリップ取り付け装置。」が記載されている。
【０００３】
前記従来のクリップ取付構造は、クリップの取付強度が不十分であり、比較的厚みのある被挟持物をクリップに挿入した際、クリップ本体が持ち上げられると、クリップの脚部（本願の取付基部）が径方向外方に開き、透孔（本願の係合溝）から舌部（本願の取付片部）が外れてしまうおそれがある。
【０００４】
また、前記従来のクリップ取付構造は、クリップを軸筒（本願の筒体）に取り付ける際、前記脚部のクリップの舌片が軸筒外面に当たり、軸筒外面を傷つけるおそれがある。
【０００５】
【発明が解決しようとする課題】
本発明は、前記従来の問題点を解決するものであって、比較的厚みを有する被挟持物を挿入した際にクリップが筒体から外れるおそれがなく、さらには、クリップ取付時に筒体の外面を傷つけるおそれがないクリップ取付構造を提供しようとするものである。
【０００６】
【課題を解決するための手段】
〔１〕本発明は、クリップ１の一対の取付基部１２の端部に、径方向内方に突出する一対の取付片部１３を連設し、前記取付片部１３を、筒体２の対向側面に設けた一対の係合溝２３に係合させたクリップ取付構造であって、前記筒体２の頂壁２４に、芯部２１と、前記芯部２１の外周を包囲する一対の半筒状の周状片部２２とを軸方向前方に突設させ、前記周状片部２２の相互間に一対の係合溝２３を設け、前記クリップ１の一対の取付片部１３の端部に、一対の半筒状部１４を連設し、前記取付片部１３を前記係合溝２３に前方から挿入させると共に、前記一対の半筒状部１４を前記芯部２１の外面に係合させたこと（請求項１）を要件とする。
【０００７】
一対の半筒状部１４を芯部２１の外面に係合させる構成により、比較的厚肉の被挟持物の挿入によりクリップ１が持ち上げられた際、一対の取付基部１２が径方向外方へ拡開変形することが抑えられ、取付片部１３が係合溝２３から外れるおそれがなく、安定したクリップ取付構造が得られる。
【０００８】
さらに、前記一対の半筒状の周状片部２２の相互間に形成された係合溝２３に、前記取付片部１３を前方から挿入させる構成により、クリップ１を筒体２に取り付ける際、取付片部１３が筒体２の外面に接触することがなく、筒体２の外面を傷つけるおそれがない。
【０００９】
〔２〕前記請求項１のクリップ取付構造において、筒体２の頂部に取り付ける頭冠３に、後方に突出する一対の脚片３２を設け、前記一対の脚片３２を、前記半筒状部１４の外面と前記周状片部２２の内面との間に圧入すること（請求項２）が好ましい。それにより、クリップ１の半筒状部１４のガタつきが抑えられ、より一層、クリップ１が筒体２に強固に固定される。
【００１０】
〔３〕前記請求項１または２記載のクリップ取付構造において、前記半筒状部１４の一部を径方向内方へ突出させて係止片１４ａを形成し、前記係止片１４ａを前記芯部２１の外面に食いつき係止させること（請求項３）が好ましい。それにより、クリップ１が筒体２の頂部から前方に抜け落ちることが防止される。
【００１１】
【発明の実施の形態】
本発明の実施の形態を図面に従って説明する。
【００１２】
図１〜図５に本発明の一実施例を示す。本実施例のクリップ取付構造は、クリップ１と、筒体２と、頭冠３とからなる。
【００１３】
・クリップ
前記クリップ１は、金属板からなり、クリップ本体１１と、取付基部１２と、取付片部１３と、半筒状部１４と、玉部１５とが折曲により一体に連設されてなる。前記クリップ本体１１の前端には、一対の取付基部１２が連設される。そして、前記取付基部１２の各々の端部には、径方向内方に突出する一対の取付片部１３が形成される。さらに、前記取付片部１３の各々端部には、軸方向に延びる一対の半筒状部１４が連設される。前記一対の半筒状部１４は、互いに合わさることにより、軸方向に延びる円筒部を構成する。尚、前記取付基部１２、取付片部１３及び半筒状部１４は、それぞれ、少なくとも１対、設ければよい。
【００１４】
・筒体
前記筒体２は、キャップまたは軸筒であり、合成樹脂の射出成形により得られる。前記筒体２の頂部には、頂壁２４が形成される。前記頂壁２４の軸心には、軸方向前方に円柱状の芯部２１が突設され、前記頂壁２４の芯部２１の周囲には、半筒状（具体的には半円筒状）の一対の周状片部２２が、軸方向前方に突設される。前記周状片部２２の内面には軸方向に延びる複数本（具体的には４本）の面状のリブ２２ａが等間隔に形成され、前記リブ２２ａに頭冠３の脚片３２の外面が圧接される。また、前記一対の周状片部２２の相互間には、１対の係合溝２３が形成される。前記係合溝２３は、軸方向前方に開口され且つ径方向に貫通される。尚、前記周状片部２２及び係合溝２３は、それぞれ、少なくとも１対、設ければよい。
【００１５】
・係合溝
前記係合溝２３には、クリップ１の取付片部１３が筒体２の前方から挿入される。前記係合溝２３内面には、取付片部１３の両面と圧接する凸部２３ａが形成される。前記凸部２３ａは、係合溝２３の内面の両側に、径方向に向かって交互に配置される。それにより、取付片部１３のスムーズな挿入を可能にすると共に、取付片部１３を確実に挟持する。
【００１６】
・芯部
さらに、前記クリップ１の取付片部１３が係合溝２３に挿入されると同時に、前記クリップ１の一対の半筒状部１４が、前記芯部２１外面に、該芯部２１外面を抱持するように係合される。それにより、クリップ１の取付片部１３が径方向外方に外れることが防止できる。また、芯部２１の外面に複数本（具体的には８本）の軸方向に延びるリブ２１ａが等間隔に形成され、それにより、半筒状部１４との摩擦抵抗が減少され、スムーズな半筒状部１４の挿入を可能にする。
【００１７】
・頭冠
前記頭冠３は、合成樹脂の射出成形により得られ、筒体２の頂部に固着される。前記頭冠３は、有底筒状の外筒部３１と、該外筒部３１内の頂壁３４から後方に突設される一対の半筒状の脚片３２とからなる。尚、前記脚片３２、少なくとも１対、設ければよい。
【００１８】
前記外筒部３１は、筒体２の頂部（即ち周状片部２２）の外面に被着される。前記一対の脚片３２は、クリップ１の半筒状部１４の外面と筒体２の周状片部２２の内面との間に圧入される。前記頭冠３の外筒部３１には、軸方向後方に開口し且つ径方向に貫通する溝３３が設けられる。前記溝３３は、頭冠３を筒体２に取り付けた際、筒体２の係合溝２３と一致する位置に設けられ、前記溝３３にクリップ１の取付片部１３が挿入される。
【００１９】
・クリップの係止片
前記クリップ１の一対の半筒状部１４の内面及び外面には、コ字状の切り欠きにより、複数の係止片１４ａ，１４ｂが折曲により突設される。前記半筒状部１４の内面の係止片１４ａは、径方向内方且つ軸方向前方の斜め方向に突出され、筒体２の芯部２１外面に食いついて、半筒状部１４が芯部２１から前方に脱落することを防止する。前記半筒状部１４の外面の係止片１４ｂは、径方向外方且つ軸方向後方の斜め方向に突出され、頭冠３の脚部内面に食いついて、頭冠３がクリップ１の半筒状部１４から前方に脱落することを防止する。
【００２０】
【発明の効果】
請求項１により、比較的厚みを有する被挟持物を挿入した際にクリップが筒体から外れるおそれがなく、しかも、クリップ取付時に筒体の外面が傷つけられるおそれがない。
【００２１】
請求項２により、クリップの半筒状部のガタつきが抑えられ、より一層、クリップが筒体に強固に固定される。
【００２２】
請求項３により、クリップが筒体の頂部から前方に抜け落ちることが防止される。
【図面の簡単な説明】
【図１】本発明の一実施例を示す外観図である。
【図２】図１の要部拡大縦断面図である。
【図３】図２のＡ−Ａ線拡大断面図である。
【図４】図１のクリップの取付基部を示す縦断面図である。
【図５】図４のＢ−Ｂ線拡大断面図である。
【符号の説明】
１　クリップ
１１　クリップ本体
１２　取付基部
１３　取付片部
１４　半筒状部
１４ａ　係止片
１４ｂ　係止片
１５　玉部
２　筒体
２１　芯部
２１ａ　リブ
２２　周状片部
２２ａ　リブ
２３　係合溝
２３ａ　凸部
２４　頂壁
３　頭冠
３１　外筒部
３２　脚片
３３　溝
３４　頂壁
【図１】
2004114383.tif 000003
【図２】
2004114383.tif 000004
【図３】
2004114383.tif 000005
【図４】
2004114383.tif 000006
【図５】
2004114383.tif 000007